Podtech/llm-jp-corpus-v4-ja_patent huggingface dataset:
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な特定状態に制御可能な遊技機であって、
遊技の進行を制御する遊技制御手段と、
前記遊技制御手段から送信されるコマンドにもとづいて演出の実行を制御する演出制御手段とを備え、
前記遊技制御手段は、
識別情報の可変表示に関する可変表示関連コマンドと、所定コマンドと、識別情報の可変表示の終了にもとづいて特定コマンドとを送信するコマンド送信手段と、
識別情報の可変表示の回数が所定回数になるまで遊技者にとって有利な有利状態に制御する状態制御手段とを含み、
前記演出制御手段は、
前記可変表示関連コマンドにもとづいて装飾識別情報の可変表示を実行する可変表示実行手段と、
前記有利状態において、前記可変表示関連コマンドにもとづいて、識別情報の可変表示の回数が前記所定回数になるまでの残余回数を更新する更新手段と、
前記更新手段による更新結果を報知する報知手段とを含み、
前記可変表示実行手段は、
通常状態に制御されているときに、前記可変表示関連コマンドが正常に受信された場合、前記所定コマンドが正常に受信されなくても、装飾識別情報の可変表示を実行する一方、
前記有利状態に制御されているときに、前記可変表示関連コマンドが正常に受信された場合、前記所定コマンドが正常に受信されたことを条件に、装飾識別情報の可変表示を実行し、
前記更新手段は、前記有利状態に制御されているときに、前記特定コマンドが正常に受信された場合、前記所定コマンドが正常に受信されなくても、前記残余回数を更新し、
前記有利状態に制御されているときに、前記条件が成立せず装飾識別情報の可変表示が実行されない場合であっても識別情報の可変表示を制限せずに実行する
ことを特徴とする遊技機。
【手続補正２】
【補正対象書類名】明細書
【補正対象項目名】０００１
【補正方法】変更
【補正の内容】
【０００１】
本発明は、識別情報の可変表示を行い、遊技者にとって有利な特定状態に制御可能な遊技機に関する。
【手続補正３】
【補正対象書類名】明細書
【補正対象項目名】０００８
【補正方法】変更
【補正の内容】
【０００８】
しかしながら、特許文献１に示した遊技機においては、実際の有利状態の回数（すなわち、遊技制御手段が認識している回数）と、報知している回数（すなわち、演出制御手段が認識している回数）との間に不整合が生じてしまう虞がある。
【手続補正４】
【補正対象書類名】明細書
【補正対象項目名】０００９
【補正方法】変更
【補正の内容】
【０００９】
そこで、本発明は、実際の有利状態の回数と、報知している回数との間に不整合が生じることを抑制できる遊技機を提供することを目的とする。
【手続補正５】
【補正対象書類名】明細書
【補正対象項目名】００１０
【補正方法】変更
【補正の内容】
【００１０】
（手段１）本発明による遊技機は、識別情報（例えば、第１特別図柄または第２特別図柄）の可変表示を行い、遊技者にとって有利な特定状態（例えば、大当り遊技状態）に制御可能な遊技機であって、遊技の進行を制御する遊技制御手段（例えば、遊技制御用マイクロコンピュータ５６０）と、遊技制御手段から送信されるコマンドにもとづいて演出の実行を制御する演出制御手段（例えば、演出制御用マイクロコンピュータ１００）とを備え、遊技制御手段は、識別情報の可変表示に関する可変表示関連コマンド（例えば、変動パターンコマンド）と、所定コマンド（例えば、背景指定コマンド、表示結果指定コマンド）と、識別情報の可変表示の終了にもとづいて特定コマンド（例えば、図柄確定指定コマンド、客待ちデモ指定コマンド、大当り開始指定コマンド、変動パターンコマンド）とを送信するコマンド送信手段（例えば、遊技制御用マイクロコンピュータ５６０におけるステップＳ５１Ａ，Ｓ６０，Ｓ１０２，Ｓ１０７〜Ｓ１０９，Ｓ１３３を実行する部分）と、識別情報の可変表示の回数が所定回数（例えば、５０回）になるまで遊技者にとって有利な有利状態（例えば、確変状態）に制御する状態制御手段（例えば、遊技制御用マイクロコンピュータ５６０におけるステップＳ１６７，Ｓ１６８を実行する部分）とを含み、演出制御手段は、可変表示関連コマンドにもとづいて装飾識別情報の可変表示を実行する可変表示実行手段（例えば、演出制御用マイクロコンピュータ１００におけるＳ８０１〜Ｓ８０３を実行する部分）と、有利状態において、可変表示関連コマンドにもとづいて、識別情報の可変表示の回数が所定回数になるまでの残余回数（例えば、残余確変回数Ｋ）を更新する更新手段（例えば、演出制御用マイクロコンピュータ１００におけるステップＳ３３０１を実行する部分）と、更新手段による更新結果を報知する報知手段（例えば、演出制御用マイクロコンピュータ１００におけるステップＳ３３０２を実行する部分）とを含み、可変表示実行手段は、通常状態に制御されているときに、可変表示関連コマンドが正常に受信された場合、所定コマンドが正常に受信されなくても、装飾識別情報の可変表示を実行する（例えば、ステップＳ２６０１のＮである場合、表示結果指定コマンドおよび背景指定コマンドを受信したか否かにかかわらずステップＳ８００１〜Ｓ８００８を実行する）一方、有利状態に制御されているときに、可変表示関連コマンドが正常に受信された場合、所定コマンドが正常に受信されたことを条件に、装飾識別情報の可変表示を実行し（例えば、ステップＳ２６０１のＹである場合、表示結果指定コマンドおよび背景指定コマンドを受信したことを条件に（ステップＳ２６０２のＹ，Ｓ２６０４のＹ）ステップＳ８００１〜Ｓ８００８を実行する）、更新手段は、有利状態に制御されているときに、特定コマンドが正常に受信された場合、所定コマンドが正常に受信されなくても、残余回数を更新し（例えば、ステップＳ２４０１のＹまたはステップＳ２４０５のＹである場合、ステップＳ３８０２を実行する）、有利状態に制御されているときに、条件が成立せず装飾識別情報の可変表示が実行されない場合であっても識別情報の可変表示を制限せずに実行することを特徴とする。そのような構成によれば、回数の不整合を抑制することができる。
【手続補正６】
【補正対象書類名】明細書
【補正対象項目名】００１１
【補正方法】変更
【補正の内容】
【００１１】
（手段２）手段１において、可変表示実行手段は、有利状態に制御されているときに、可変表示関連コマンドが正常に受信され、所定コマンドが正常に受信されない場合、装飾識別情報を揺動表示する（例えば、ステップＳ２６０１のＹであり、表示結果指定コマンドまたは背景指定コマンドを受信していない場合（ステップＳ２６０２のＮ，Ｓ２６０４のＮ）、ステップＳ２６０８を実行する）こととしてもよい。そのような構成によれば、遊技者に誤解を与えることを抑制することができる。
【手続補正書】
【提出日】平成28年5月13日(2016.5.13)
【手続補正１】
【補正対象書類名】明細書
【補正対象項目名】０００４
【補正方法】変更
【補正の内容】
【０００４】
ところで、上記した特許文献に開示されたような可動演出装置では、演出効果が十分でなかった。
【手続補正２】
【補正対象書類名】明細書
【補正対象項目名】０００５
【補正方法】変更
【補正の内容】
【０００５】
そこで、本発明は上記した問題点に鑑みてなされたものであり、可動演出装置による演出効果を向上させることが可能な遊技機を提供することを目的とする。
【手続補正３】
【補正対象書類名】明細書
【補正対象項目名】０００６
【補正方法】変更
【補正の内容】
【０００６】
請求項１に記載の発明は、
遊技の進行に応じて演出動作を行うことが可能な可動演出装置を備えた遊技機において、
前記可動演出装置は、
移動演出動作を行うことが可能な可動演出部材と、
前記可動演出部材を動作させるための駆動力を発生することが可能な電気的駆動源と、
前記電気的駆動源からの駆動力により前記可動演出部材を動作させるための駆動動作を行うことが可能な駆動部材と、
所定の装飾が施された装飾部と、を備え、
前記可動演出部材は、所定の遊技状態において発光演出を行う発光手段を備え、
前記装飾部は、前記可動演出部材の動作前においては視認不能である一方、前記可動演出部材の動作時においては視認可能であることを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明によれば、装飾部が可動演出部材の動作に関連して見え隠れするので、可動演出装置による演出効果を向上させることが可能となる。
【手続補正１４】
【補正対象書類名】特許請求の範囲
【補正対象項目名】全文
【補正方法】変更
【補正の内容】
【特許請求の範囲】
【請求項１】
遊技の進行に応じて演出動作を行うことが可能な可動演出装置を備えた遊技機において、
前記可動演出装置は、
移動演出動作を行うことが可能な可動演出部材と、
前記可動演出部材を動作させるための駆動力を発生することが可能な電気的駆動源と、
前記電気的駆動源からの駆動力により前記可動演出部材を動作させるための駆動動作を行うことが可能な駆動部材と、
所定の装飾が施された装飾部と、を備え、
前記可動演出部材は、所定の遊技状態において発光演出を行う発光手段を備え、
前記装飾部は、前記可動演出部材の動作前においては視認不能である一方、前記可動演出部材の動作時においては視認可能であることを特徴とする遊技機。
【手続補正書】
【提出日】平成28年5月31日(2016.5.31)
【手続補正１】
【補正対象書類名】明細書
【補正対象項目名】０００１
【補正方法】変更
【補正の内容】
【０００１】
本発明は、所定条件の成立に基づいて実行可能なゲームに関する演出表示を表示可能な表示装置を備え、前記ゲームの結果が予め定めた特別結果となった場合に、遊技者にとって有利な特別遊技状態を発生可能な遊技機に関する。
【手続補正２】
【補正対象書類名】明細書
【補正対象項目名】０００４
【補正方法】変更
【補正の内容】
【０００４】
しかしながら、近年の演出内容の多様化に伴い、画像制御基板の処理負担が増大する一方となっている。
【手続補正３】
【補正対象書類名】明細書
【補正対象項目名】０００６
【補正方法】変更
【補正の内容】
【０００６】
以上の課題を解決するため、請求項１に記載の発明は、
所定条件の成立に基づいて実行可能なゲームに関する演出表示を表示可能な表示装置を備え、
前記ゲームの結果が予め定めた特別結果となった場合に、遊技者にとって有利な特別遊技状態を発生可能な遊技機において、
前記ゲームの開始から終了までのゲーム実行期間中の前記表示装置における表示態様を特定するための表示指令データを作成する作成手段と、
前記作成手段によって作成された前記表示指令データを送信する送信手段と、
前記送信手段によって送信された前記表示指令データを受信する受信手段と、
前記受信手段によって受信された前記表示指令データに基づき、前記ゲームの表示制御を行う表示制御手段と、
を備え、
前記表示指令データは、その指令内容によらず固定長のデータ構成であることを特徴とする。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明によれば、演出制御装置の処理負担を軽減させることができる。
【手続補正１４】
【補正対象書類名】特許請求の範囲
【補正対象項目名】全文
【補正方法】変更
【補正の内容】
【特許請求の範囲】
【請求項１】
所定条件の成立に基づいて実行可能なゲームに関する演出表示を表示可能な表示装置を備え、
前記ゲームの結果が予め定めた特別結果となった場合に、遊技者にとって有利な特別遊技状態を発生可能な遊技機において、
前記ゲームの開始から終了までのゲーム実行期間中の前記表示装置における表示態様を特定するための表示指令データを作成する作成手段と、
前記作成手段によって作成された前記表示指令データを送信する送信手段と、
前記送信手段によって送信された前記表示指令データを受信する受信手段と、
前記受信手段によって受信された前記表示指令データに基づき、前記ゲームの表示制御を行う表示制御手段と、
を備え、
前記表示指令データは、その指令内容によらず固定長のデータ構成であることを特徴とする遊技機。
【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
ハンドルと、
該ハンドルに設けられた支持軸と、
該支持軸に挿通されている軸受け部材と、
該軸受け部材を介して、上記支持軸に回転可能に支持されている回転体と、
を有し、
上記回転体は、貫通孔が形成された芯材と、上記貫通孔の一端及び上記芯材の外周を覆う外皮とを備えており、
上記軸受け部材は、径方向に変位可能な係止爪を有するとともに、上記貫通孔内に配置されており、
上記貫通孔を形成する上記芯材の内周には、上記係止爪に係合される段差部が形成されている、美容器。
【請求項２】
上記係止爪は、互いに径方向に対向する位置に一対形成されている、請求項１に記載の美容器。
【手続補正書】
【提出日】平成28年5月13日(2016.5.13)
【手続補正１】
【補正対象書類名】明細書
【補正対象項目名】０００１
【補正方法】変更
【補正の内容】
【０００１】
本発明は、遊技制御用の制御デバイスが実装される制御基板と、当該制御基板を内部に収納するための基板ボックスと、を備えた遊技機に関する。
【手続補正２】
【補正対象書類名】明細書
【補正対象項目名】０００５
【補正方法】変更
【補正の内容】
【０００５】
しかしながら、制御デバイスへの不正行為を十分に抑制できないという問題があった。
【手続補正３】
【補正対象書類名】明細書
【補正対象項目名】０００６
【補正方法】変更
【補正の内容】
【０００６】
本発明は上記した問題点を解決するためになされたものであり、制御デバイスへの不正行為を十分に抑制しつつ、制御基板の取り付け時に制御デバイスが故障するような不都合を回避することが可能な遊技機を提供することを目的とする。
【手続補正４】
【補正対象書類名】明細書
【補正対象項目名】０００７
【補正方法】変更
【補正の内容】
【０００７】
以上の課題を解決するため、請求項１に記載の発明は、
遊技制御用の制御デバイスが実装される制御基板と、当該制御基板を内部に収納するための基板ボックスと、を備えた遊技機において、
前記基板ボックスは、前記制御基板を収納するための閉止空間を画成する第１ケース部材及び第２ケース部材を備え、
前記第１ケース部材は、
前記閉止空間に前記制御基板を収納したときに、当該制御基板の端部との間に第１の間隙を有した状態で当該制御基板の外周を囲繞することが可能な外周囲繞部と、
前記閉止空間に前記制御基板を収納したときに、当該制御基板に実装された前記制御デバイスの側面との間に第２の間隙を有し、当該制御基板の外周よりも当該制御デバイスの側面に近い位置で当該側面と対向する制御デバイス保護部と、を備え、
前記外周囲繞部と前記制御デバイス保護部を、個別に形成するとともに、前記第１ケース部材に一体的に形成し、
前記第１の間隙よりも前記第２の間隙が大きくなるよう設定したことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
本発明によれば、制御デバイスへの不正行為を十分に抑制しつつ、制御基板の取り付け時に制御デバイスが故障するような不都合を回避することができる。
【手続補正９】
【補正対象書類名】明細書
【補正対象項目名】００７０
【補正方法】変更
【補正の内容】
【００７０】
また、制御デバイス１１２は、例えば図２４（ａ），（ｂ）に示すように、ＺＩＰタイプのデバイスであり、制御デバイス１１２の脚部（端子部）１１２ｂが制御デバイス１１２（制御デバイス１１２本体部）の下面から突出している。したがって、制御デバイス１１２は、制御デバイス１１２本体部が遊技制御基板１１０の表面１１０ａから離間した状態で、遊技制御基板１１０に実装されている。そして、囲繞カバー部３３０は、例えば図２４（ｂ）に示すように、当該囲繞カバー部３３０の下面（具体的には、囲繞カバー本体部３３１の下面及び囲繞カバー本体支持部３３２の下面）が、制御デバイス１１２本体部の下面よりも遊技制御基板１１０に近接するよう形成されている。
【手続補正１０】
【補正対象書類名】明細書
【補正対象項目名】０２２６
【補正方法】変更
【補正の内容】
【０２２６】
１０  遊技機
１００  遊技制御装置（制御装置）
１１０  遊技制御基板（制御基板）
１１０ａ  表面
１１１  電子部品
１１２  制御デバイス（遊技用マイクロコンピュータ）
１１２ａ  印字面（側面）
１１２ｂ  脚部（端子部）
１１６  コネクタ
１１６ａ  脚部（コネクタ端子部）
１２０  基板ボックス
１３０  電子タグシール
１３１  電子タグ
１３１ａ  チップ部
１３１ｂ  アンテナ部
１６０  端子カバー部材
１６１  端子カバー本体部
１６２  起立壁部
１６２ａ  テーパ部
２００  第１ケース部材
２００ａ  挿入開口
２２０  上壁（上面部、周辺領域カバー部）
２２１  露出用切欠部
２２２  スライドガイド溝部
２２２ａ  面取り部
２５０  前側壁（所定の壁部）
２５１  挿通口
３００  第２ケース部材
３１０  開口閉塞部
３１１  上方閉塞部（上面部）
３１１ａ  当接部
３１１ｂ  下方支持部
３１１ｃ  上方支持部
３１２  コネクタ用開口
３１３  端子カバー囲繞壁
３１３ａ  一連端子カバー囲繞壁
３１３ｂ  単体端子カバー囲繞壁
３１６  側方閉塞部
３２０  基板支持部（挿入部）
３２３  前側部（辺部、所定部位）
３３０  囲繞カバー部
３３１  囲繞カバー本体部（上面部、デバイスカバー部）
３３１ａ  デバイス挿入口
３３２  囲繞カバー本体支持部（上面部、周辺領域カバー部）
３３２ａ  スライドガイド壁（スライド部）
４００  左側端封止手段（封止手段）
４１１  左第１内側固着部（副固着封止手段、第１固着部）
４２１  左第２内側固着部（副固着封止手段、第２固着部）
４３０  左固着部材（固着部材）
５００  右側端封止手段（封止手段）
５１０  右第１固着部（第１固着部）
５１１  右第１内側固着部（副固着部、副固着封止手段、第１固着部）
５１２  右第１外側固着部（主固着部）
５１３  右第１脆弱部（脆弱部）
５２０  右第２固着部（第２固着部）
５２１  右第２内側固着部（副固着部、副固着封止手段、第２固着部）
５２２  右第２外側固着部（主固着部）
５２３  右第２脆弱部（脆弱部）
５３０  右固着部材（固着部材）
６００  溶着封止手段（封止手段）
６１０  第１溶着受部
６２０  第２溶着受部
６２１  基部
６２２  突出部
６３０  溶着部材
７００  保護カバー部材
Ｄ  視認段部
Ｒ  貼着領域
Ｓ＊  収納空間
Ｓ  閉止空間
【手続補正１１】
【補正対象書類名】特許請求の範囲
【補正対象項目名】全文
【補正方法】変更
【補正の内容】
【特許請求の範囲】
【請求項１】
遊技制御用の制御デバイスが実装される制御基板と、当該制御基板を内部に収納するための基板ボックスと、を備えた遊技機において、
前記基板ボックスは、前記制御基板を収納するための閉止空間を画成する第１ケース部材及び第２ケース部材を備え、
前記第１ケース部材は、
前記閉止空間に前記制御基板を収納したときに、当該制御基板の端部との間に第１の間隙を有した状態で当該制御基板の外周を囲繞することが可能な外周囲繞部と、
前記閉止空間に前記制御基板を収納したときに、当該制御基板に実装された前記制御デバイスの側面との間に第２の間隙を有し、当該制御基板の外周よりも当該制御デバイスの側面に近い位置で当該側面と対向する制御デバイス保護部と、を備え、
前記外周囲繞部と前記制御デバイス保護部を、個別に形成するとともに、前記第１ケース部材に一体的に形成し、
前記第１の間隙よりも前記第２の間隙が大きくなるよう設定したことを特徴とする遊技機。
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
第１識別情報の可変表示を行う第１可変表示手段と、第２識別情報の可変表示を行う第２可変表示手段とを備え、遊技者にとって有利な有利状態に制御可能な遊技機であって、
前記第１可変表示手段による可変表示よりも、前記第２可変表示手段による可変表示を優先して実行する可変表示制御手段と、
前記有利状態に制御するか否かと、前記有利状態として、該有利状態が終了した後に通常状態よりも前記有利状態に制御されやすい特別状態に制御可能な第１有利状態と、該有利状態が終了した後に前記特別状態に制御不可能または制御困難な第２有利状態とのうちでいずれに制御するかを決定する決定手段と、
前記有利状態であるときに特定領域を遊技媒体が通過したことに基づいて、前記特別状態に制御する特別制御手段と、
前記特別状態であるときに、前記第２可変表示手段による可変表示の実行頻度が高くなる高頻度制御を行うことが可能な高頻度制御手段と、
前記有利状態に制御することが決定されたことに応じて、該有利状態が前記第１有利状態と前記第２有利状態のいずれであるかを報知するための演出を含む複数種類の演出を実行する演出実行手段と、
発射された遊技媒体が通過可能な第１経路および第２経路とを備え、
前記決定手段は、
前記第１可変表示手段による可変表示に基づいて前記有利状態に制御される場合に、前記第１有利状態と前記第２有利状態とのうちでいずれに制御するかを所定割合で決定し、
前記第２可変表示手段による可変表示に基づいて前記有利状態に制御される場合に、前記第１有利状態に制御することを決定し、
前記演出実行手段は、
前記特別状態であるときに、前記第２可変表示手段による可変表示に基づいて前記第１有利状態に制御することが決定されたときは、前記第１有利状態であることを報知する特定演出を実行し、
前記特別状態であるときに、前記第１可変表示手段による可変表示に基づいて前記第１有利状態または前記第２有利状態に制御することが決定されたときは、前記特定演出とは異なり前記第１有利状態と前記第２有利状態のいずれであるかを報知する状態報知演出を実行し、
前記第２経路に設けられた始動領域を遊技媒体が通過したことに基づいて前記第２可変表示手段による可変表示を実行可能である、
ことを特徴とする遊技機。
【手続補正２】
【補正対象書類名】明細書
【補正対象項目名】０００７
【補正方法】変更
【補正の内容】
【０００７】
（１）上記目的を達成するため、本願発明に係る遊技機は、第１識別情報（例えば第１特図となる特別図柄など）の可変表示を行う第１可変表示手段（例えば第１特別図柄表示装置４Ａなど）と、第２識別情報（例えば第２特図となる特別図柄など）の可変表示を行う第２可変表示手段（例えば第２特別図柄表示装置４Ｂなど）とを備え、遊技者にとって有利な有利状態（例えば大当り遊技状態など）に制御可能な遊技機（例えばパチンコ遊技機１など）であって、前記第１可変表示手段による可変表示よりも、前記第２可変表示手段による可変表示を優先して実行する可変表示制御手段（例えばステップＳ２３１、Ｓ２３５の処理を実行した後にステップＳ１１１〜Ｓ１１３の処理を実行する遊技制御用マイクロコンピュータ１００のＣＰＵ１０３など）と、前記有利状態に制御するか否かと、前記有利状態として、該有利状態が終了した後に通常状態よりも前記有利状態に制御されやすい特別状態（例えば確変状態など）に制御可能な第１有利状態（例えば大当り種別が「第２大当り」となる場合の大当り遊技状態など）と、該有利状態が終了した後に前記特別状態に制御不可能または制御困難な第２有利状態（例えば大当り種別が「第１大当り」となる場合の大当り遊技状態など）とのうちでいずれに制御するかを決定する決定手段（例えばステップＳ２４２の処理を実行するＣＰＵ１０３など）と、前記有利状態であるときに特定領域を遊技媒体が通過したことに基づいて、前記特別状態に制御する特別制御手段と、前記特別状態であるときに、前記第２可変表示手段による可変表示の実行頻度が高くなる高頻度制御（例えば高ベース制御など）を行うことが可能な高頻度制御手段（例えばステップＳ３７６の処理を実行するＣＰＵ１０３など）と、前記有利状態に制御することが決定されたことに応じて、該有利状態が前記第１有利状態と前記第２有利状態のいずれであるかを報知するための演出を含む複数種類の演出を実行する演出実行手段（例えば演出制御基板１２に搭載された演出制御用ＣＰＵ１２０や画像表示装置５など）と、発射された遊技媒体が通過可能な第１経路および第２経路とを備え、前記決定手段は、前記第１可変表示手段による可変表示に基づいて前記有利状態に制御される場合に、前記第１有利状態と前記第２有利状態とのうちでいずれに制御するかを所定割合で決定し（例えば図５（Ｂ）に示す変動特図が第１特図の場合を参照）、前記第２可変表示手段による可変表示に基づいて前記有利状態に制御される場合に、前記第１有利状態に制御することを決定し（例えば図５（Ｂ）に示す変動特図が第２特図の場合を参照）、前記演出実行手段は、前記特別状態であるときに、前記第２可変表示手段による可変表示に基づいて前記第１有利状態に制御することが決定されたときは、前記第１有利状態であることを報知する特定演出（例えば確変継続演出など）を実行し（例えば図２２に示す遊技状態が確変状態、リミッタ作動なし、変動特図が第２特図、大当り種別が第２大当りの場合を参照）、前記特別状態であるときに、前記第１可変表示手段による可変表示に基づいて前記第１有利状態または前記第２有利状態に制御することが決定されたときは、前記特定演出とは異なり前記第１有利状態と前記第２有利状態のいずれであるかを報知する状態報知演出（例えば確変転落演出と復活演出の組合せなど）を実行し（例えば図２３（Ｃ）に示す遊技状態が確変状態、リミッタ作動なし、変動特図が第１特図の場合を参照）、前記第２経路に設けられた始動領域を遊技媒体が通過したことに基づいて前記第２可変表示手段による可変表示を実行可能である。
このような構成によれば、遊技興趣を向上させることができる。
【手続補正書】
【提出日】平成28年9月26日(2016.9.26)
【手続補正１】
【補正対象書類名】特許請求の範囲
【補正対象項目名】全文
【補正方法】変更
【補正の内容】
【特許請求の範囲】
【請求項１】
化合物（Ｉ）
【化１】
2016128501.tif 000001
（Ｉ）
が、遊離塩基の形態、又はその溶媒和物であり、
７．５３±０．２、９．６０±０．２、１０．２２±０．２、１１．２９±０．２、１１．６６±０．２、１２．２６±０．２、１２．６２±０．２、１３．１７±０．２、１４．０６±０．２、１４．８５±０．２、１５．１５±０．２、１５．５７±０．２、１６．９９±０．２、１７．６８±０．２、１８．３０±０．２、１８．３９±０．２、１８．６３±０．２、１８．９７±０．２、１９．３２±０．２及び２０．２０±０．２から選択される２［シータ］値における２又は３以上の回折ピークを有するｘ線粉末回折パターンを特徴とする、前記化合物の結晶性形態［形態Ａ］。
【請求項２】
ｘ線粉末回折パターンが、７．５３±０．２、１２．２６±０．２、１４．０６±０．２、１４．８５±０．２及び１５．５７±０．２から選択される２［シータ］値における２又は３以上の回折ピークを含む、請求項１に記載の結晶性形態。
【請求項３】
ピーク位置が図５に示されている又は表１に記載されているパターンのピーク位置と実質的に一致するｘ線粉末回折パターンを特徴とする、請求項１に記載の結晶性形態。
【請求項４】
約１３０℃〜約１４０℃の温度で最大吸熱ピークを示す、毎分２０℃の加熱速度で記録された示差走査熱量測定トレースを特徴とする、請求項１に記載の結晶性形態。
【請求項５】
図６に示されているものと実質的に一致する示差走査熱量測定トレースを特徴とする、請求項１に記載の結晶性形態。
【請求項６】
ａ＝１５．１９±２Å、ｂ＝１８．３４±２Å、ｃ＝８．６５±２Å及び［ベータ］＝９５．５３±２°の単位格子寸法を持つ単斜晶Ｐ２１／ｃ空間群である、請求項１に記載の結晶性形態。
【請求項７】
請求項１〜６のいずれかに記載の結晶性形態と、薬学的に許容される担体、希釈剤又は賦形剤とを含む、医薬組成物。
【請求項８】
医療において使用するための、請求項１〜６のいずれかに記載の結晶性形態。
【請求項９】
増殖性障害、免疫介在性及び炎症性障害、自己免疫性及び自己免疫介在性障害、腎臓障害、心血管障害、眼科障害、神経変性障害、精神障害、ウイルス性障害、代謝障害並びに／又は呼吸器障害の予防又は治療剤であって、請求項１〜６のいずれかに記載の結晶性形態を含む前記予防又は治療剤。
【請求項１０】
増殖性障害、免疫介在性及び炎症性障害、自己免疫性及び自己免疫介在性障害、腎臓障害、心血管障害、眼科障害、神経変性障害、精神障害、ウイルス性障害、代謝障害並びに／又は呼吸器障害の予防又は治療用薬剤の調製における、請求項１〜６のいずれかに記載の結晶性形態の使用。
【請求項１１】
遊離塩基形態Ａの化合物（Ｉ）をメチルｔ−ブチルエーテル（ＭＴＢＥ）から結晶化させるステップを含む、請求項１に記載の化合物（Ｉ）の結晶性遊離塩基（形態Ａ）を調製する方法。
【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
配列番号１のアミノ酸配列からなる、組換型インターフェロンの結晶であって、
空間群がＰ３１２１であり、
結晶の単位格子パラメータが、ａ＝ｂ＝７７．９２Å、ｃ＝１２５．９３５Å、α＝β＝９０°、γ＝１２０°であり、すべての格子パラメータにおいて変動性は５％以下である、結晶。
【請求項２】
前記結晶は非対称単位中に２つの分子を含有する、請求項１に記載の結晶。
【請求項３】
結晶は共有結合または非共有結合した金属イオンをさらに含む、請求項１または２に記載の結晶。
【請求項４】
前記組換型インターフェロンは、配列番号２を含むヌクレオチド配列によってエンコードされる、請求項１〜３のうちいずれか１項に記載の結晶。
【請求項５】
請求項１〜４のうちいずれか１項に記載の結晶および医薬的に許容可能な担体を含有する医薬組成物。
【請求項６】
ウイルス性疾患および／または腫瘍の治療のための、請求項５に記載の医薬組成物。
【請求項７】
前記ウイルス性疾患は、Ａ型肝炎、Ｂ型肝炎、Ｃ型肝炎、他の型の肝炎、エプスタインバーウイルス、ヒト免疫不全ウイルス（ＨＩＶ）、エボラウイルス、重症急性呼吸器症候群（ＳＡＲＳ）ウイルス、インフルエンザウイルス、サイトメガロウイルス、単純ヘルペスウイルスもしくは他の種類のヘルペスウイルス、パポバウイルス、ポックスウイルス、ピコルナウイルス、アデノウイルス、ライノウイルス、ヒトＴ細胞白血病ウイルスＩ型、ヒトＴ細胞白血病ウイルスＩＩ型、またはヒトＴ細胞白血病ウイルスＩＩＩ型によって引起されるウイルス感染症を含む、請求項６に記載の医薬組成物。
【請求項８】
前記腫瘍は固形腫瘍である、請求項６に記載の医薬組成物。
【請求項９】
前記腫瘍は、皮膚癌、基底細胞癌および悪性黒色腫、腎細胞腫、肝臓癌、甲状腺癌、鼻咽頭癌、充実性腫瘍、前立腺癌、胃／腹部癌、食道癌、直腸癌、膵臓癌、乳癌、卵巣癌、表在性膀胱癌、血管腫、類表皮癌、子宮頸癌、非小細胞肺癌、小細胞肺癌、神経膠間質性腫、白血病、急性白血病、慢性白血病、慢性骨髄性白血病、毛様細胞性白血病、リンパ腺腫、多発性骨髄腫、赤血球増加症、カポジ肉腫を含む、請求項６に記載の医薬組成物。
【請求項１０】
ウイルス性疾患および／または腫瘍を治療するための医薬の調製のための、請求項１〜４のうちいずれか１項に記載の結晶または請求項５に記載の組成物の使用。
【請求項１１】
前記ウイルス性疾患は、Ａ型肝炎、Ｂ型肝炎、Ｃ型肝炎、他の型の肝炎、エプスタインバーウイルス、ヒト免疫不全ウイルス（ＨＩＶ）、エボラウイルス、重症急性呼吸器症候群（ＳＡＲＳ）ウイルス、インフルエンザウイルス、サイトメガロウイルス、単純ヘルペスウイルスもしくは他の種類のヘルペスウイルス、パポバウイルス、ポックスウイルス、ピコルナウイルス、アデノウイルス、ライノウイルス、ヒトＴ細胞白血病ウイルスＩ型、ヒトＴ細胞白血病ウイルスＩＩ型、またはヒトＴ細胞白血病ウイルスＩＩＩ型によって引起されるウイルス感染症を含む、請求項１０に記載の使用。
【請求項１２】
前記腫瘍は固形腫瘍である、請求項１０に記載の使用。
【請求項１３】
前記腫瘍は、皮膚癌、基底細胞癌および悪性黒色腫、腎細胞腫、肝臓癌、甲状腺癌、鼻咽頭癌、充実性腫瘍、前立腺癌、胃／腹部癌、食道癌、直腸癌、膵臓癌、乳癌、卵巣癌、表在性膀胱癌、血管腫、類表皮癌、子宮頸癌、非小細胞肺癌、小細胞肺癌、神経膠間質性腫、白血病、急性白血病、慢性白血病、慢性骨髄性白血病、毛様細胞性白血病、リンパ腺腫、多発性骨髄腫、赤血球増加症、カポジ肉腫を含む、請求項１０に記載の使用。
【請求項１４】
組換型インターフェロンのミメティックを設計するためのコンピュータベースの方法であって、
（ａ）  複数のミメティックについて三次元構造を生成するステップと、
（ｂ）  表７に示すような組換型インターフェロンまたはその選択された部分の原子座標を含む三次元構造に対してステップ（ａ）の三次元構造の各々をフィッティングして前記組換型インターフェロンの最もフィットするミメティックを見出すステップであって、前記原子座標はオプションで、約０．６５Å、または約０．５Å、または約０．３５Å未満の保存された主鎖原子（Ｃα）からの根平均二乗偏差の変動性を有するステップとを含む、方法。
【請求項１５】
合理的薬剤設計のコンピュータベースの方法であって、
（ａ）  表７に示すような組換型インターフェロンの原子座標を含む三次元構造を提供するステップであって、前記原子座標はオプションで、約０．６５Å、または約０．５Å、または約０．３５Å未満の保存された主鎖原子（Ｃα）からの根平均二乗偏差の変動性を有する、ステップと、
（ｂ）  複数の分子フラグメントについて三次元構造を提供するステップと、
（ｃ）  ステップ（ａ）の三次元構造またはその選択された部分に対してステップ（ｂ）の三次元構造の各々をフィッティングするステップと、
（ｄ）  選択された分子フラグメントを分子にアセンブルして候補薬剤を形成するステップとを含む、方法。
【請求項１６】
請求項１〜４のいずれか１項に記載の結晶を製造する方法であって、
組換型インターフェロンを約３〜３．５ｍｇ／ｍｌに濃縮するステップと、Ｌｉ２ＳＯ４、ＣＡＰＳおよびＭｇＣｌ２を含有する結晶化溶液中に適切な時間これを放置して結晶を得るステップとを含む、方法。
【請求項１７】
前記結晶化溶液は、１．２ＭのＬｉ２ＳＯ４、０．１ＭのＣＡＰＳ、ｐＨ１１．１の０．０２ＭのＭｇＣｌ２を含有する、請求項１６に記載の方法。
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
CD100に特異的に結合する、単離された抗体またはその抗原結合断片を含む薬学組成物であって、処置を必要とする動物において癌の処置に用いるための薬学組成物であり、該抗体またはその断片は、SEQ ID NO:6、7、および8をそれぞれ含むVH-CDR1、VH-CDR2、およびVH-CDR3アミノ酸配列を含むVHポリペプチド、並びに、SEQ ID NO:14、15、および16をそれぞれ含むVL-CDR1、VL-CDR2、およびVL-CDR3アミノ酸配列を含むVLポリペプチドを含む、薬学組成物。
【請求項２】
CD100に特異的に結合する、単離された抗体またはその抗原結合断片を含む薬学組成物であって、処置を必要とする動物において自己免疫疾患または炎症疾患の処置に用いるための薬学組成物であり、該抗体またはその断片は、SEQ ID NO:6、7、および8をそれぞれ含むVH-CDR1、VH-CDR2、およびVH-CDR3アミノ酸配列を含むVHポリペプチド、並びに、SEQ ID NO:14、15、および16をそれぞれ含むVL-CDR1、VL-CDR2、およびVL-CDR3アミノ酸配列を含むVLポリペプチドを含む、薬学組成物。
【請求項３】
該自己免疫疾患または炎症疾患が、多発性硬化症または関節炎からなる群より選択される、請求項2記載の薬学的組成物。
【請求項４】
前記抗体またはその断片が、CD100とCD100受容体との結合を阻害する、請求項1から3のいずれか一項記載の薬学的組成物。
【請求項５】
前記CD100受容体がプレキシン-B1である、請求項4記載の薬学的組成物。
【請求項６】
前記動物が哺乳動物である、請求項1から5のいずれか一項記載の薬学的組成物。
【請求項７】
前記哺乳動物がヒトである、請求項6記載の薬学的組成物。
【請求項８】
前記抗体またはその抗原結合断片のVHが、アミノ酸配列SEQ ID NO:9またはSEQ ID NO:10を含む、請求項1から7のいずれか一項記載の薬学的組成物。
【請求項９】
前記抗体またはその抗原結合断片のVLが、アミノ酸配列SEQ ID NO:17またはSEQ ID NO:18を含む、請求項1から8のいずれか一項記載の薬学的組成物。
【請求項１０】
前記抗体またはその抗原結合断片のVHおよびVLが、それぞれ、アミノ酸配列SEQ ID NO:9およびSEQ ID NO:17、または、それぞれSEQ ID NO:10およびSEQ ID NO:18を含む、請求項1から9のいずれか一項記載の薬学的組成物。
【請求項１１】
該抗体またはその抗原結合断片が、約5×10-9M〜約6×10-9Mの解離定数(KD)を特徴とする親和性で、ヒトCD100ポリペプチドもしくはその断片に特異的に結合する、請求項1から10のいずれか一項記載の薬学的組成物。
【請求項１２】
CD100が、腫瘍細胞によって、腫瘍微小環境に存在する炎症細胞によって、または、その両方によって発現される、請求項1、4から11のいずれか一項記載の薬学的組成物。
【請求項１３】
頭頚部癌、前立腺癌、結腸癌、乳癌、肺癌、もしくは、それらの組合せ、または、それらの転移癌である、請求項1、4から12のいずれか一項記載の薬学的組成物。
【請求項１４】
別の癌療法と組み合わせて用いるための薬学的組成物であって、他の癌療法が、化学療法、放射線療法、抗癌抗体療法、低分子に基づく癌療法、または、ワクチン/免疫療法に基づく癌療法である、請求項1、4から13のいずれか一項記載の薬学的組成物。
【手続補正書】
【提出日】平成28年10月13日(2016.10.13)
【手続補正１】
【補正対象書類名】特許請求の範囲
【補正対象項目名】全文
【補正方法】変更
【補正の内容】
【特許請求の範囲】
【請求項１】
入射する光の入射角度に関連して、前記光が透過する第１波長領域および反射する第２波長領域が変化する第１光学素子と、
前記第１光学素子で透過した光または反射した光を検出する検出器と、
前記第１光学素子を駆動する第１駆動機構と、
前記第１駆動機構を制御して、前記光が入射する前記第１光学素子の入射面の向きを変化させる制御部と、
を有する分光器。
【請求項２】
前記第１光学素子において透過または反射した光を前記検出器に導く第２光学素子をさらに有する
請求項１に記載の分光器。
【請求項３】
前記第２光学素子は、ミラーである
請求項２に記載の分光器。
【請求項４】
前記第２光学素子を駆動する第２駆動機構をさらに有し、
前記制御部は、前記第２駆動機構を制御して、前記第１光学素子において透過または反射した光が入射する前記第２光学素子の入射面の向きを変化させる
請求項２又は３に記載の分光器。
【請求項５】
前記制御部は、前記第１駆動機構および第２駆動機構を制御して、前記第１光学素子の入射面を延長した面と前記第２光学素子の入射面を延長した面とのなす角度を所定の値に維持したまま、前記第１光学素子の入射面および第２光学素子の入射面の向きを変化させる
請求項４に記載の分光器。
【請求項６】
前記制御部は、前記第１駆動機構および第２駆動機構を制御して、前記第１光学素子の入射面を延長した面と前記第２光学素子の入射面を延長した面との交線を軸として前記第１の光学素子及び前記第２の光学素子を回転させることにより、前記第１光学素子の入射面および第２光学素子の入射面の向きを変化させる
請求項５に記載の分光器。
【請求項７】
前記制御部は、前記第１駆動機構および第２駆動機構を制御して、前記第１光学素子を所定の位置において回転させ、前記第２の光学素子の位置を移動することにより前記第１光学素子の入射面および第２光学素子の入射面の向きを変化させる
請求項６に記載の分光器。
【請求項８】
前記第２の光学素子において反射した光を前記検出器において集光する集光レンズを有する
請求項７に記載の分光器。
【請求項９】
前記第１光学素子と前記検出器との間に配置され、入射する光の入射角度に関連して遮断する光の波長帯域が変化するバリアフィルタをさらに有する
請求項１〜８のいずれか１項に記載の分光器。
【請求項１０】
前記検出器を駆動する第３駆動機構を有し、
前記制御部は、前記第３駆動機構を制御して前記検出器を移動させる
請求項１に記載の分光器。
【請求項１１】
走査ミラーと、
対物レンズと、
請求項１〜１０のいずれか一項に記載の分光器と、
を有する顕微鏡システム。
【請求項１２】
走査ミラーと、
対物レンズと、
分光器と
を有し、光源から放射された光を蛍光物質が含まれる標本に照射し、前記標本からの光を分光する顕微鏡システムであって、
前記分光器は、
入射する光の入射角度に関連して、前記光が透過する第１波長領域および反射する第２波長領域が変化する第１光学素子と、
前記第１光学素子で透過した光または反射した光を検出する検出器と、
前記第１光学素子を駆動する第１駆動機構と、
前記第１駆動機構を制御して、前記光が入射する前記第１光学素子の入射面の向きを変化させる制御部と、
を有する顕微鏡システム。
【請求項１３】
前記制御部は、
前記蛍光色素の種類、前記標本に照射する光の波長および前記標本からの光の波長の少なくとも１つに対応して、前記第１駆動機構を制御する
請求項１２に記載の顕微鏡システム。
【請求項１４】
前記第１光学素子に前記光が入射する入射角度を、前記蛍光色素の種類、前記標本に照射する光の波長および前記標本からの光の波長の少なくとも１つに対応づけて記憶する記憶部を有し、
前記制御部は、前記記憶部から読み出された情報に基づいて前記第１駆動機構を制御する
請求項１３に記載の顕微鏡システム。
【請求項１５】
前記制御部は、前記標本に照射する光の波長の切り替えによって生じる前記入射角度の補正値に基づいて前記第１駆動機構を制御する
請求項１３又は１４に記載の顕微鏡システム。
【手続補正２】
【補正対象書類名】明細書
【補正対象項目名】発明の名称
【補正方法】変更
【補正の内容】
【発明の名称】分光器及び顕微鏡システム
【手続補正３】
【補正対象書類名】明細書
【補正対象項目名】０００１
【補正方法】変更
【補正の内容】
【０００１】
本発明は、分光器及び顕微鏡システムに関する。
【手続補正４】
【補正対象書類名】明細書
【補正対象項目名】０００５
【補正方法】変更
【補正の内容】
【０００５】
本発明はこのような課題に鑑みてなされたものであり、角度依存素子である分光素子に対する蛍光の入射角度を変化させてこの分光素子の波長特性を変化させることにより、分光して検出する光の波長領域を変化させることができる分光器及び顕微鏡システムを提供することを目的とする。
【手続補正５】
【補正対象書類名】明細書
【補正対象項目名】０００６
【補正方法】変更
【補正の内容】
【０００６】
前記課題を解決するために、本発明に係る分光器は、入射する光の入射角度に関連して、前記光が透過する第１波長領域および反射する第２波長領域が変化する第１光学素子と、第１光学素子で透過した光または反射した光を検出する検出器と、第１光学素子を駆動する第１駆動機構と、第１駆動機構を制御して、前記光が入射する第１光学素子の入射面の向きを変化させる制御部と、を有する。
また、本発明に係る顕微鏡システムは、走査ミラーと、対物レンズと、上述した分光器と、を有する。
また、本発明に係る顕微鏡システムは、走査ミラーと、対物レンズと、分光器とを有し、光源から放射された光を蛍光物質が含まれる標本に照射し、標本からの光を分光する顕微鏡システムであって、分光器は、入射する光の入射角度に関連して、前記光が透過する第１波長領域および反射する第２波長領域が変化する第１光学素子と、第１光学素子で透過した光または反射した光を検出する検出器と、第１光学素子を駆動する第１駆動機構と、第１駆動機構を制御して、前記光が入射する第１光学素子の入射面の向きを変化させる制御部と、を有する。
【手続補正６】
【補正対象書類名】明細書
【補正対象項目名】０００７
【補正方法】変更
【補正の内容】
【０００７】
本発明によれば、角度依存素子である分光素子に対する信号光（蛍光）の入射角度を変化させてこの分光素子の波長特性を変化させることにより、分光して検出する光の波長領域を変化させることができる分光器及び顕微鏡システムを提供することができる。
【手続補正書】
【提出日】平成28年6月24日(2016.6.24)
【手続補正１】
【補正対象書類名】明細書
【補正対象項目名】００８８
【補正方法】変更
【補正の内容】
【００８８】
この説明に開示された様々なパラメータが変更されてもよく、開示された様々な実施例及び／又は特許請求の範囲に記載された様々な実施例は、本発明の範囲を逸脱することなく組み合わされてもよいことが、当業者は容易に分かる。
以上の実施例に関し、更に、以下の項目を開示する。
（付記１）ユニキャストプロトコルを使用したサーバと複数のクライアントのうち少なくとも１つとの間のマルチキャスト送信のための方法であって、
前記サーバと前記クライアントとの間のマルチキャストパス及びユニキャストパスの共同した動作を可能にするために、前記クライアントに対してマルチキャストパスで前記サーバと通信することを可能にする情報を前記サーバにより前記クライアントに提供するステップを有する方法。
（付記２）前記ユニキャストプロトコルはマルチホーミングプロトコルである、付記１に記載の方法。
（付記３）前記マルチホーミングプロトコルは、ストリーム制御伝送プロトコル（SCTP）又はSCTPの拡張である、付記２に記載の方法。
（付記４）前記クライアントに対して前記マルチキャストパスで前記サーバと通信することを可能にする前記情報は、SCTPアソシエーションを初期化することを可能にする初期化情報を有する、付記３に記載の方法。
（付記５）前記初期化情報は、定期的に前記マルチキャストパスでブロードキャストされる初期化チャンクで伝達される、付記４に記載の方法。
（付記６）前記初期化チャンクは、前記SCTPアソシエーションにより伝達されるアウトバウンドストリームの数をアドバタイズするフィールドを有する、付記５に記載の方法。
（付記７）前記初期化チャンクは、前記サーバによりサポートされる少なくとも１つのIPアドレスを有する、付記５又は６に記載の方法。
（付記８）前記初期化情報は、前記クライアントに利用可能にされたファイルに記述される、付記４に記載の方法。
（付記９）前記クライアントにより実行されるSCTPアソシエーションの初期化ステップを有する、付記４ないし８のうちいずれか１項に記載の方法。
（付記１０）ユニキャストプロトコルを使用して複数のクライアントのうち少なくとも１つと通信可能なサーバであって、
前記サーバとクライアントとの間のマルチキャストパス及びユニキャストパスの共同した動作を可能にするために、クライアントに対してマルチキャストパスで前記サーバと通信することを可能にする情報を前記クライアントに提供する管理モジュールを有するサーバ。
（付記１１）前記ユニキャストプロトコルは、ストリーム制御伝送プロトコル（SCTP）又はSCTPの拡張であり、
前記クライアントに対して前記マルチキャストパスで前記サーバと通信することを可能にする前記情報は、SCTPアソシエーションを初期化することを可能にする初期化情報を有する、付記１０に記載のサーバ。
（付記１２）ユニキャストプロトコルを使用してサーバと通信可能なクライアントであって、
前記サーバと前記クライアントとの間のマルチキャストパス及びユニキャストパスの共同した動作を可能にするために、前記クライアントに対してマルチキャストパスで前記サーバと通信することを可能にする情報を受信する受信モジュールを有するクライアント。
（付記１３）前記ユニキャストプロトコルは、ストリーム制御伝送プロトコル（SCTP）又はSCTPの拡張であり、
前記クライアントに対して前記マルチキャストパスで前記サーバと通信することを可能にする前記情報は、SCTPアソシエーションを初期化することを可能にする初期化情報を有する、付記１２に記載のクライアント。
（付記１４）コンピュータに対して付記１ないし９のうちいずれか１項に記載の方法のステップを実行可能にするコンピュータ実行可能命令を有するコンピュータ可読プログラム。
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
前記操作手段の操作が有効となる操作有効期間の内に該操作手段が操作されたことに基づいて、操作時演出を実行する操作時演出実行手段と、
前記遊技者が前記操作有効期間を認識可能な操作有効報知を実行する操作有効報知実行手段と、
を有する遊技用装置であって、
前記操作有効期間の終了よりも前に、前記操作有効報知が行われる操作有効報知期間を終了させ、
前記操作有効報知実行手段は、複数種類の態様のうち何れかの態様により前記操作有効報知を実行可能であることを特徴とする遊技用装置。
【請求項２】
遊技者が操作可能な操作手段と、
前記操作手段の操作が有効となる操作有効期間の内に該操作手段が操作されたことに基づいて、操作時演出を実行する操作時演出実行手段と、
前記遊技者が前記操作有効期間を認識可能な操作有効報知を実行する操作有効報知実行手段と、
を有する遊技機であって、
前記操作有効期間の終了よりも前に、前記操作有効報知が行われる操作有効報知期間を終了させ、
前記操作有効報知実行手段は、複数種類の態様のうち何れかの態様により前記操作有効報知を実行可能であることを特徴とする遊技機。
【手続補正２】
【補正対象書類名】明細書
【補正対象項目名】発明の名称
【補正方法】変更
【補正の内容】
【発明の名称】遊技用装置および遊技機
【手続補正３】
【補正対象書類名】明細書
【補正対象項目名】０００１
【補正方法】変更
【補正の内容】
【０００１】
本発明は、遊技者が操作可能な操作手段と、前記操作手段の操作が有効となる操作有効期間の内に該操作手段が操作されたことに基づいて、操作時演出を実行する操作時演出実行手段と、前記遊技者が前記操作有効期間を認識可能な操作有効報知を実行する操作有効報知実行手段と、を有する遊技用装置および遊技機に関する。
【手続補正４】
【補正対象書類名】明細書
【補正対象項目名】０００５
【補正方法】変更
【補正の内容】
【０００５】
本発明は、このような背景のもとになされたものであり、その目的は、操作有効期間内に操作手段を操作したのに反応しないという誤解を遊技者に与えてしまうのを抑制できるような、遊技用装置および遊技機を提供することにある。
【手続補正５】
【補正対象書類名】明細書
【補正対象項目名】０００７
【補正方法】変更
【補正の内容】
【０００７】
まず手段１に係る発明は、
遊技者が操作可能な操作手段（プッシュボタン１２０）と、
前記操作手段の操作が有効となる操作有効期間の内に該操作手段が操作されたことに基づいて、操作時演出（演出用役物１２７の作動）を実行する操作時演出実行手段（ステップＳ８１６２の処理を行う演出制御用マイクロコンピュータ１００）と、
前記遊技者が前記操作有効期間を認識可能な操作有効報知（演出表示装置９でのボタン操作示唆表示２０１の表示）を実行する操作有効報知実行手段（ステップＳ８１５２の処理を行う演出制御用マイクロコンピュータ１００）と、
を有する遊技用装置（パチンコ遊技機１）であって、
前記操作有効期間の終了よりも（例えば０．２秒）前に、前記操作有効報知が行われる操作有効報知期間を終了させ、
前記操作有効報知実行手段は、複数種類の態様のうち何れかの態様により前記操作有効報知を実行可能であることを特徴とする遊技用装置である。
また本願の他の手段に係る発明は、
遊技者が操作可能な操作手段と、
前記操作手段の操作が有効となる操作有効期間の内に該操作手段が操作されたことに基づいて、操作時演出を実行する操作時演出実行手段と、
前記遊技者が前記操作有効期間を認識可能な操作有効報知を実行する操作有効報知実行手段と、
を有する遊技機であって、
前記操作有効期間の終了よりも前に、前記操作有効報知が行われる操作有効報知期間を終了させ、
前記操作有効報知実行手段は、複数種類の態様のうち何れかの態様により前記操作有効報知を実行可能であることを特徴とする遊技機である。
【手続補正６】
【補正対象書類名】明細書
【補正対象項目名】００１２
【補正方法】変更
【補正の内容】
【００１２】
まず手段１に係る発明によれば、操作有効期間内に操作手段を操作したのに反応しないという誤解を遊技者に与えてしまうのを抑制できる。